(57)【要約】      （修正有）【課題】マンションなどのコンクリート建築物の扉枠に対して、地震時において扉枠体内に変形が生じてもドアを開放してドア外に脱出可能な可能な地震災害時の避難対応ドアを提供する。【解決手段】ドア本体は、補助出入口枠体、補助ドア本体、第２蝶番、えび金具からなり、補助ドア本体と補助出入口枠体は、補助出入口枠体に対して揺動開閉可能となるように第２蝶番によりピン結合される。出入口枠体と補助ドア本体とにえび金具を設け、えび金具を介して、補助出入口枠体に対して補助ドア本体を、地震災害時等の非常時にワンタッチで開錠可能とすることを特徴とする。【選択図】図１
0003152999.tif 000002
【実用新案登録請求の範囲】
【請求項１】
建築物の出入口枠体とドア本体と第１蝶番からなりドア本体が第１蝶番を軸として前後に開閉する地震災害時の避難対応ドアにおいて、
前記ドア本体は、補助出入口枠体、補助ドア本体、第２蝶番、えび金具からなり、前記補助ドア本体と前記補助出入口枠体は、前記補助出入口枠体に対して揺動開閉可能となるように前記第２蝶番によりピン結合され、前記出入口枠体と前記補助ドア本体とに前期えび金具を設け、前期えび金具を介して、前記補助出入口枠体に対して前記補助ドア本体を、地震災害時等の非常時にワンタッチで開錠可能とすることを特徴とする地震災害時の避難対応ドア。
【請求項２】
前記補助ドア上部と前記補助出入口枠体上部は、前記補助出入口枠体に対して外側に揺動開閉可能となるように前記第２蝶番によりピン結合されことを特徴とする請求項１記載の地震災害時の避難対応ドア。
【請求項３】
前記えび金具は、えび金具雄部とえび金具雌部から構成され、前記えび金具雄部は、前記補助ドア本体下部側に固定設置され、前記えび金具雌部が、前記補助出入口枠体下部側に固定設置されたことを特徴とする請求項１〜２の何れかに記載の地震災害時等の避難対応ドア。
【請求項４】
えび金具雌部が、フック棒、フレーム、圧縮バネ、レバー体、リンク部材からなり、前記フック棒の上端にフック長穴を有し、前記フック棒下端にバネ止め部材を有し、前記フレームの上部にフック棒挿入用の開口部を設け、前期フレームの両側に前記バネ止め部材をスライドさせるためのスライド開口部を有し、前記フレームの両側下部で前記レバー体とピン結合（Ｐ１）され、前記圧縮バネは前記フレーム上部と前記バネ止め部材の間に収納されると共に、前記レバー体と前記リンク部材はピン結合（Ｐ２）されていることを特徴とする請求項１〜３の何れかに記載の地震災害時の避難対応ドア。
【請求項５】
前記レバー体を前記ドア本体に対して手前に引いて前記フック棒を上方に動かすことにより、前記補助出入口枠体に対して、ワンタッチで前記補助ドア本体を、地震災害時の非常時に開錠可能とすることを特徴とする請求項１〜４の何れかに記載の地震災害時の避難対応ドア。
【請求項６】
前記レバー体を前記ドア本体に対して押し近づけることにより、前記フック長穴を前記えび金具雄部のフック部に引っ掛けた前記フック棒を下方に動かすことにより、前記補助出入口枠体に対して、ワンタッチで前記補助ドア本体を、平常時に施錠可能とすることを特徴とする請求項１〜５の何れかに記載の地震災害時の避難対応ドア。
【請求項７】
前記補助ドア上部と前記補助出入口枠体上部、及び前記補助ドア上部と前記補助出入口枠体上部の面が斜めに作られていることを特徴とする請求項１〜６の何れかに記載の地震災害時の避難対応ドア。
【請求項８】
子供の悪戯等で、平常時に開錠された場合であっても、前記補助ドア本体は重力により、前記補助出入口枠体に収納されたままとなり、外側を通行中の第三者は開錠されたことを気付かないことを特徴とする請求項１〜７の何れかに記載の地震災害時の避難対応ドア。
【考案の詳細な説明】
【技術分野】
【０００１】
本考案は、地震災害時の避難対応ドアに関する。
詳しくは地震災害時の避難に対応したマンション等の建築物の出入り口ドアに係るものに関する。
【背景技術】
【０００２】
従来においては、家屋、マンション等の建築物の出入り口には、建築物と一体となった枠体及び建築物用ドアが取り付けられている。
このような建築物に地震等の大きな外力が作用した場合には、建築物には歪みが発生し、この歪みにより建築物用ドアの枠体の変形が生ずるおそれがある。
これにより枠体がドア本体と接触すると摩擦により開閉機能が低下し、同時に施錠装置が変形することによって解錠し難くなることによりドア本体が開放できない状態に陥り、室内の人間が閉じ込まれて非常に危険な状態となる。
そこで上記のような危険を回避するべく、例えば、特許文献１（図８、参照）に示すような耐地震用ドアが開示されている。この耐地震用ドアでは、扉枠１０１は扉１０２の上下および戸先側との間に、従来に比べて大きな隙間１０３が形成されるとともに、戸先側の戸当り部１０４に扉１０２の内部に突出するコの字形の鍵受け金１０５が設けられ、扉１０２は戸先側に鍵受け金１０５を挿入させ、かつ鍵受け金１０５を扉１０２の幅方向に移動させ得る開口１０６を形成され、また戸先側の扉内には鍵前本体１０７が設けられ、前記鍵受け金１０５はラッチ１０８とデッドボルトとを挿通させるとともに、それらの上下に十分な空間部を形成した構成とされている。
【特許文献１】特開平８−２８４４９３号公報（要約書、第１図）
【考案の開示】
【考案が解決しようとする課題】
【０００３】
本考案は、以上の点に鑑みて創案されたものであって、
１．考案が解決しようとする第１の課題（第１の課題）
考案が解決しようとする第１の課題は、マンションなどのコンクリート建築物の扉枠に対して、地震時において扉枠体内に変形が生じてもドアを開放してドア外に脱出可能な可能な地震災害時の避難対応ドアを提供することである。
２．考案が解決しようとする第２の課題（第２の課題）
【０００４】
考案が解決しようとする第２の課題は、地震時において扉枠体内に変形が生じてもワンタッチで操作でき瞬時にドアを開放してドア外に脱出可能な地震災害時の避難対応ドアを提供することである。
３．考案が解決しようとする第３課題（第３の課題）
【０００５】
考案が解決しようとする第３の課題は、平常時においても、施錠を忘れたとしても防災上の極力問題が生じないと共に、上記のような扉枠体内に変形が生じてもワンタッチで操作でき瞬時にドアを開放してドア外に脱出可能な地震災害時の避難対応ドアを提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
○建築物の出入口枠体（以下、単に「出入口枠体」ともいう。）とは、ドア本体を収納するための出入口（開口部）を有する建築物の枠状体をいう。
【０００７】
○ドア本体とは、第１蝶番を軸として前後に開閉する戸をいう。ドア本体は、本願明細書においては、補助出入口枠体、補助ドア本体、第２蝶番、えび金具から構成される。
○第１蝶番とは、建築物の出入口枠体とドア本体とをピン結合する金具であって、ドア本体が第１蝶番を軸として前後に開閉するために取り付ける金具をいう。
【０００８】
○地震災害時の避難対応ドアとは、建築物の出入口枠体（例えば、マンションなどのコンクリート建築物の出入口枠体）に対して、地震時において扉枠体内に変形が生じてもドアを開放してドア外に脱出可能なドアをいう。
○補助出入口枠体とは、補助ドア本体を収納するための出入口（開口部）を有するドア本体の枠状体をいう。
【０００９】
○補助出入口とは、本明細書では、補助ドア本体を収納するための開口部であると共に、地震災害時の避難するためのドア本体に設けられた脱出用の出入口をいう。
【００１０】
○補助ドア本体とは、第２蝶番を軸として外側（室内側の反対側）に開く戸をいう。本願明細書においては、出入口枠体と補助ドア本体とにえび金具を設け、えび金具を介して、補助出入口枠体に対して補助ドア本体を、地震災害時等の非常時にワンタッチで開錠可能とするようにする。
○ピン結合とは、部材同士がピンなど回転結合で構成される結合方法をいう。
○ワンタッチでとは、一度手で触れるだけで、簡単に始動・操作・着脱などができることをいう。
○地震災害時等の非常時とは、地震災害等の非常の事態が起こった時をいう。
○平常時とは、地震災害時等の非常時以外の時をいう。
○外側とは、ドア本体の外側（室内側の反対側）をいう。
【００１１】
○えび金具とは、雌雄一対のえび金具雄部とえび金具雌部から構成され、えび金具雄部は、補助ドア本体下部側に固定設置され、えび金具雌部が、補助出入口枠体下部側に固定設置される補助ドア本体と補助出入口枠体とを係合するための係合金具をいう。
○えび金具雄部は、フック部（ｈｋ）を有する係合金具であって、補助ドア本体下部側に固定設置される。
【００１２】
○えび金具雌部は、フック棒、フレーム、圧縮バネ、レバー体、リンク部材からなり、前記フック棒の上端にフック長穴を有し、前記フック棒下端にバネ止め部材を有し、前記フレームの上部に前記フック棒挿入用の開口部を設け、前期フレームの両側に前記バネ止め部材をスライドさせるためのスライド開口部を有し、前記フレームの両側下部で前記レバー体とピン結合（Ｐ１）され、前記圧縮バネは前記フレーム上部と前記バネ止め部材の間に収納されると共に、前記レバー体と前記リンク部材はピン結合（Ｐ２）されている。
【００１３】
地震災害時の避難対応ドアにおいて、前記レバー体を前記ドア本体に対して手前に引いて前記フック棒を上方に動かすことにより、前記補助出入口枠体に対して、ワンタッチで前記補助ドア本体を、地震災害時等の非常時に開錠可能とする。
【００１４】
地震災害時の避難対応ドアにおいて、前記レバー体を前記ドア本体に対して押し近づけることにより、前記フック長穴を前記えび金具雄部のフック部に引っ掛けた前記フック棒を下方に動かすことにより、前記補助出入口枠体に対して、ワンタッチで前記補助ドア本体を、平常時に施錠可能とする。
【００１５】
地震災害時の避難対応ドアにおいて、子供の悪戯等で、平常時に開錠された場合であっても、前記補助ドア本体は重力により、前記補助出入口枠体に収納されたままとなり、外側を通行中の第三者は開錠されたことを気付かないことを特徴とする。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
本考案者は、上記の従来の建築物と一体となった枠体及び建築物用ドアの各種問題点に鑑み、鋭意検討を重ねて、本考案を完成したものである。
課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、
建築物の出入口枠体とドア本体と第１蝶番からなりドア本体が第１蝶番を軸として前後に開閉する地震災害時の避難対応ドアにおいて、
【００１６】
前記ドア本体は、補助出入口枠体、補助ドア本体、第２蝶番、えび金具からなり、前記補助ドア本体と前記補助出入口枠体は、前記補助出入口枠体に対して揺動開閉可能となるように前記第２蝶番によりピン結合され、前記出入口枠体と前記補助ドア本体とに前期えび金具を設け、前期えび金具を介して、前記補助出入口枠体に対して前記補助ドア本体を、地震災害時等の非常時にワンタッチで開錠可能とすることを特徴とする地震災害時の避難対応ドアである。
○第２の考案（請求項２に記載の考案）
上記の課題を解決するための第２の考案（請求項２に記載の考案）は、
【００１７】
前記補助ドア上部と前記補助出入口枠体上部は、前記補助出入口枠体に対して外側に揺動開閉可能となるように前記第２蝶番によりピン結合されことを特徴とする請求項１記載の地震災害時の避難対応ドアある。
○第３の考案（請求項３に記載の考案）
上記の課題を解決するための第３の考案（請求項３に記載の考案）は、
【００１８】
前記えび金具は、えび金具雄部とえび金具雌部から構成され、前記えび金具雄部は、前記補助ドア本体下部側に固定設置され、前記えび金具雌部が、前記補助出入口枠体下部側に固定設置されたことを特徴とする請求項１〜２の何れかに記載の地震災害時等の避難対応ドアである。
○第４の考案（請求項４に記載の考案）
上記の課題を解決するための第４の考案（請求項４に記載の考案）は、
【００１９】
えび金具雌部が、フック棒、フレーム、圧縮バネ、レバー体、リンク部材からなり、前記フック棒の上端にフック長穴を有し、前記フック棒下端にバネ止め部材を有し、前記フレームの上部に前記フック棒挿入用の開口部を設け、前期フレームの両側に前記バネ止め部材をスライドさせるためのスライド開口部を有し、前記フレームの両側下部で前記レバー体とピン結合（Ｐ１）され、前記圧縮バネは前記フレーム上部と前記バネ止め部材の間に収納されると共に、前記レバー体と前記リンク部材はピン結合（Ｐ２）されていることを特徴とする請求項１〜３の何れかに記載の地震災害時等の避難対応ドアである。
○第５の考案（請求項５に記載の考案）
上記の課題を解決するための第５の考案（請求項５に記載の考案）は、
【００２０】
前記レバー体を前記ドア本体に対して手前に引いて前記フック棒を上方に動かすことにより、前記補助出入口枠体に対して、ワンタッチで前記補助ドア本体を、地震災害時の非常時に開錠可能とすることを特徴とする請求項１〜４の何れかに記載の地震災害時の避難対応ドアである。
○第６の考案（請求項６に記載の考案）
上記の課題を解決するための第６の考案（請求項６に記載の考案）は、
【００２１】
前記レバー体を前記ドア本体に対して押し近づけることにより、前記フック長穴を前記えび金具雄部のフック部に引っ掛けた前記フック棒を下方に動かすことにより、前記補助出入口枠体に対して、ワンタッチで前記補助ドア本体を、平常時に施錠可能とすることを特徴とする地震災害時の請求項１〜５の何れかに記載の避難対応ドアである。
○第７の考案（請求項７に記載の考案）
上記の課題を解決するための第７の考案（請求項７に記載の考案）は、
【００２２】
前記補助ドア上部と前記補助出入口枠体上部、及び前記補助ドア上部と前記補助出入口枠体上部の面が斜めに作られていることを特徴とする請求項１〜６の何れかに記載の地震災害時の避難対応ドアである。
○第８の考案（請求項８に記載の考案）
上記の課題を解決するための第８の考案（請求項８に記載の考案）は、
【００２３】
子供の悪戯等で、平常時に開錠された場合であっても、前記補助ドア本体は重力により、前記補助出入口枠体に収納されたままとなり、外側を通行中の第三者は開錠されたことを気付かないことを特徴とする請求項１〜７の何れかに記載の地震災害時の避難対応ドアである。
【考案の効果】
【００２４】
本考案に係る、地震災害時の避難対応ドアは、上記のような特徴的構成用件から構成され、特徴的構成用件に応じた、以下のような本願考案特有の効果を奏する。
また、上記のような特徴的構成用件から構成された地震災害時の避難対応ドアによれば、本願考案の課題を十分解消することができた。
○第１の考案の効果
第１の考案によれば、
建築物の出入口枠体とドア本体と第１蝶番からなりドア本体が第１蝶番を軸として前後に開閉する地震災害時の避難対応ドアにおいて、
【００２５】
前記ドア本体は、補助出入口枠体、補助ドア本体、第２蝶番、えび金具からなり、前記補助ドア本体と前記補助出入口枠体は、前記補助出入口枠体に対して揺動開閉可能となるように前記第２蝶番によりピン結合され、前記出入口枠体と前記補助ドア本体とに前期えび金具を設け、前期えび金具を介して、前記補助出入口枠体に対して前記補助ドア本体を、地震災害時の非常時にワンタッチで開錠可能とすることを特徴とする地震災害時の避難対応ドアという特徴的な構成要件により、
本考案が解決しようとする課題を達成することができ、当業者予測不可能な顕著な効果を奏することができた。
【００２６】
○第２の考案の効果
第２の考案によれば、
前記補助ドア上部と前記補助出入口枠体上部は、前記補助出入口枠体に対して外側に揺動開閉可能となるように前記第２蝶番によりピン結合された請求項１記載の地震災害時の避難対応ドアという特徴的構成要件により、
本考案が解決しようとする課題を達成することができ、当業者が予測不可能な顕著な効果を奏することができた。
【００２７】
○第３の考案の効果
第３の考案によれば、前記えび金具は、えび金具雄部とえび金具雌部から構成され、前記えび金具雄部は、前記補助ドア本体下部側に固定設置され、前記えび金具雌部が、前記補助出入口枠体下部側に固定設置されたことを特徴とする請求項１〜２の何れかに記載の地震災害時等の避難対応ドアという特徴的構成要件により、
本考案が解決しようとする課題を達成することができ、当業者が予測不可能な顕著な効果を奏することができた。
【００２８】
○第４の考案の効果
第４の考案によれば、えび金具雌部が、フック棒、フレーム、圧縮バネ、レバー体、リンク部材からなり、前記フック棒の上端にフック長穴を有し、前記フック棒下端にバネ止め部材を有し、前記フレームの上部に前記ック棒挿入用の開口部を設け、前期フレームの両側に前記バネ止め部材をスライドさせるためのスライド開口部を有し、前記フレームの両側下部で前記レバー体とピン結合（Ｐ１）され、前記圧縮バネは前記フレーム上部と前記バネ止め部材の間に収納されると共に、前記レバー体と前記リンク部材はピン結合（Ｐ２）されていることを特徴とする請求項１〜３の何れかに記載の地震災害時等の避難対応ドアという特徴的構成要件により、
本考案が解決しようとする課題を達成することができ、当業者が予測不可能な顕著な効果を奏することができた。
【００２９】
○第５の考案の効果
第５の考案によれば、前記レバー体を前記ドア本体に対して手前に引くことにより、前記フック棒を上方に動かすことにより、前記補助出入口枠体に対して、ワンタッチで前記補助ドア本体を、地震災害時等の非常時に開錠可能とすることを特徴とする請求項１〜４の何れかに記載の地震災害時の避難対応ドアという特徴的構成要件により、
本考案が解決しようとする課題を達成することができ、当業者が予測不可能な顕著な効果を奏することができた。
【００３０】
○第６の考案の効果
第６の考案によれば、前記レバー体を前記ドア本体に対して押し近づけることにより、前記フック長穴を前記えび金具雄部のフック部に引っ掛けた前記フック棒を下方に動かすことにより、前記補助出入口枠体に対して、ワンタッチで前記補助ドア本体を、平常時に施錠可能とすることを特徴とする請求項１〜５の何れかに記載の地震災害時の避難対応ドアという特徴的構成要件とすることにより、
本考案が解決しようとする課題を達成することができ、当業者が予測不可能な顕著な効果を奏することができた。
【００３１】
○第７の考案の効果
第７の考案によれば、前記補助ドア上部と前記補助出入口枠体上部、及び前記補助ドア上部と前記補助出入口枠体上部の面が斜めに作られていることを特徴とする請求項１〜６の何れかに記載の地震災害時の避難対応ドアという特徴的構成要件とすることにより、
本考案が解決しようとする課題を達成することができ、当業者が予測不可能な顕著な効果を奏することができた。
【００３２】
○第８の考案の効果
第８の考案によれば、子供の悪戯等で、平常時に開錠された場合であっても、前記補助ドア本体は重力により、前記補助出入口枠体に収納されたままとなり、外側を通行中の第三者は開錠されたことを気付かないことを特徴とする地震災害時の避難対応ドアという特徴的構成要件により、
本考案が解決しようとする課題を達成することができ、当業者が予測不可能な顕著な効果を奏することができた。
【考案を実施するための最良の形態】
【００３３】
以下、本考案に係る、地震災害時の避難対応ドアに関する最良の実施形態について、図面を参照しながら説明する。
図１は、本考案に係る、地震災害時の避難対応ドアの正面図である。
図２は、本考案に係る、地震災害時の避難対応ドアの側面図である。
図２（ａ）は、本考案に係る、地震災害時の避難対応ドア（閉じた状態）の側面図である。
図２（ｂ）は、本考案に係る、地震災害時の避難対応ドア（開いた状態）の側面図である。
図３は、本考案に係る、えび金具の正面図と側面図である。
図３（ａ）は、本考案に係る、えび金具の正面図である。
図３（ｂ）は、本考案に係る、えび金具の側面図である。
図４は、本考案に係る、えび金具の動作図である。
図４（ａ）は、解錠時の側断面図である。
図４（ｂ）は、施錠時の側断面図である。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊  
【００３４】
図１に示すように、本考案に係る、地震災害時の避難対応ドア１００は、建築物の出入口枠体１０とドア本体Ｄ１と第１蝶番Ｈ１からなつている。ドア本体Ｄ１が第１蝶番Ｈ１を軸として前後に開閉するようになっている。
第１蝶番Ｈ１は、出入口枠体１０とドア本体Ｄ１の上部から下部に複数本配設されている。
前記ドア本体Ｄ１は、補助出入口枠体２０、補助ドア本体Ｄ２、第２蝶番Ｈ２、えび金具ＬＬからなっている。
前記補助ドア本体Ｄ２と前記補助出入口枠体２０は、前記補助出入口枠体２０に対して揺動開閉可能となるように前記第２蝶番Ｈ２、Ｈ２によりピン結合され、前記出入口枠体１０と前記補助ドア本体Ｄ２の下部側には、えび金具雄部ＬＬ１及びえび金具雌部ＬＬ２からなる、えび金具ＬＬが固定設置されている。これにより、補助ドア本体Ｄ２は、前期えび金具ＬＬを介して、前記補助出入口枠体２０に対して前記補助ドア本体Ｄ２を、地震災害時等の非常時にワンタッチで開錠可能とする。補助ドア本体Ｄ２が開錠されて形成される補助出入口となる開口部の大きさは、大人が脱出できる高さ寸法Ｈを、例えば約８５０ｍｍ〜９５０ｍｍ、巾寸法Ｂ
を約４５０ｍｍ〜５５０ｍｍとすることが好ましい。
補助ドア本体Ｄ２の素材としては、鋼板、鋳鉄板又はアルミニウム板から選択される。
【００３５】
図２（ａ）は、地震災害時の避難対応ドアが閉じられた状態を示している。えび金具ＬＬのえび金具雄部ＬＬ１にえび金具雌部ＬＬ２のフック長穴ｈｈに掛止されている（図３、参照）。図２（ｂ）は、地震災害時の避難対応ドアが開放された状態を示している。地震災害時の非常時には、レバー体ｌｖを室内側に引いて、えび金具ＬＬの機構に基づいて、フック棒ｈｂが上方に移動し、えび金具雌部ＬＬ２は、えび金具雄部ＬＬ１のフックから外すことができ、ワンタッチで解錠することが可能となる。これにより、補助ドア本体Ｄ２は、図２（ｂ）の矢印に示すように揺動することができ、屋内の住居人は、開口部から室外に脱出、避難することができる。                          
＊＊＊＊＊＊＊＊＊＊＊＊＊＊＊＊＊＊＊＊＊＊＊＊＊＊＊＊＊＊＊＊＊＊＊
【００３６】
前記地震災害時の避難対応ドア１００において、  前記補助ドア本体Ｄ２上部と前記補助出入口枠体２０上部は、前記補助出入口枠体２０に対して外側に揺動開閉可能となるように前記第２蝶番Ｈ２によりピン結合される。
【００３７】
子供の悪戯等で、平常時に開錠された場合であっても、前記補助ドア本体Ｄ２は重力により、前記補助出入口枠体２０に収納されたままとなり、外側を通行中の第三者は開錠されたことを気付かないという当業者予測不可能な顕著な効果を奏する。
＊＊＊＊＊＊＊＊＊＊＊＊＊＊＊＊＊＊＊＊＊＊＊＊＊＊＊＊＊＊＊＊＊＊＊
【００３８】
図３（ａ）及び（ｂ）は、本考案に係る、えび金具ＬＬにおけるえび金具雌部ＬＬ２の構成を示している。えび金具雄部ＬＬ１は、補助ドア本体下部側に固定設置され、前記えび金具雌部ＬＬ２も同様に、前記補助出入口枠体２０下部側に固定設置される。
えび金具雌部ＬＬ２は、フック棒ｈｂ、フレームｆｒ、圧縮バネｓｐ、レバー体ｌｖ、リンク部材ｌｋからなっている。
前記フック棒ｈｂの上端にフック長穴ｈｈを有し、前記フック棒ｈｂの下端にバネ止め部材ｓｐｓを有している。
前記フレームｆｒの上部に前記フック棒ｈｂ挿入用の開口部ｆｒａを設けている。
前期フレームｆｒの両側に前記バネ止め部材ｓｐｓをスライドさせるためのスライド開口部ｆｒｂを有している。
前記フレームｆｒの両側下部で前記レバー体ｌｖとピン結合（Ｐ１）され、前記圧縮バネｓｐは前記フレームｆｒ上部と前記バネ止め部材ｓｐｓの間に収納される。
前記レバー体ｌｖと前記リンク部材ｌｋはピン結合（Ｐ２）されている。
＊＊＊＊＊＊＊＊＊＊＊＊＊＊＊＊＊＊＊＊＊＊＊＊＊＊＊＊＊＊
【００３９】
図４（ａ）及び（ｂ）は、本考案に係る、えび金具ＬＬにおけるえび金具雌部ＬＬ２の動作を示している。
図４（ａ）は、施錠時の状態を示し、  図４（ｂ）は、解錠時の側断面図である。
図４（ａ）に示すように、えび金具雄部ＬＬ１のフック部ｈｋにえび金具雌部ＬＬ２のフック棒ｈｂのフック長穴ｈｈの上端部が掛止されている。レバー体ｌｖの下端部は、補助ドア本体Ｄ２側にほぼ接するように固定されている。
図４（ｂ）は、地震災害が発生したとき、えび金具雄部ＬＬ１からえび金具雌部ＬＬ２を解錠するときの状態を示している。
地震災害発生時、レバー体ｌｖを図４（ｂ）に図示するように室内側（手前、図の矢印方向）に引けば、フック棒ｈｂは、上方（図の矢印方向）に押し上げられ、えび金具雄部ＬＬ１のフック部ｈｋに掛止されていたフック長穴ｈｈが開放される。
＊＊＊＊＊＊＊＊＊＊＊＊＊＊＊＊＊＊＊＊＊＊＊＊＊＊＊＊＊＊＊＊＊＊＊
前記地震災害時の避難対応ドア１００において（図３、図４を参照）、
えび金具雌部ＬＬ２が、フック棒ｈｂ、フレームｆｒ、圧縮バネｓｐ、レバー体ｌｖ、リンク部材ｌｋからなる。
前記フック棒ｈｂの上端にフック長穴を有し、前記フック棒ｈｂ下端にバネバネ止め部材ｓｐｓを有している。
前記フレームｆｒの上部に前記フック棒ｈｂ挿入用の開口部を設ける。
前期フレームｆｒの両側に前記バネバネ止め部材ｓｐｓをスライドさせるためのスライド開口部を有している。
前記フレームｆｒの両側下部で前記レバー体ｌｖとピン結合（Ｐ１）され、前記圧縮バネｓｐは前記フレームｆｒ上部と前記バネバネ止め部材ｓｐｓの間に収納される。
前記レバー体ｌｖと前記リンク部材ｌｋはピン結合（Ｐ２）されている。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
前記地震災害時の避難対応ドア１００において（図４（ｂ）を参照）、
【００４０】
前記レバー体ｌｖを前記ドア本体Ｄ１に対して手前に引いて前記フック棒ｈｂを上方に動かすことにより、前記補助出入口枠体２０に対して、ワンタッチで前記補助ドア本体Ｄ２を、地震災害時等の非常時に開錠可能とする。
すなわち、前記レバー体ｌｖを前記ドア本体Ｄ１に対して手前に引けば、ピン結合（Ｐ２）が図の左側に移動し、リンク機構により、リンク棒ｌｋの上端が上方（図３（ｂ）の矢印方向）に移動し、リンク棒ｌｋの上端に接するフック棒ｈｂの下端が、人力が圧縮バネ力に打ち勝って上方に移動する。
フック棒ｈｂの下端が上方に移動すれば、フック棒ｈｂのフック長穴ｈｈの上端部が、上方（図３（ｂ）の矢印方向）に移動する。
そして、えび金具雄部ＬＬ１のフック部ｈｋに、えび金具雌部ＬＬ２のフック棒ｈｂのフック長穴ｈｈの掛止されていた上端部が掛止から開放される。
このようにして、前記レバー体ｌｖを前記ドア本体Ｄ１に対して手前に引いて前記フック棒ｈｂを上方に動かすことにより、前記補助出入口枠体２０に対して、ワンタッチで前記補助ドア本体Ｄ２を、地震災害時等の非常時に開錠可能とすることができた。
＊＊＊＊＊＊＊＊＊＊＊＊＊＊＊＊＊＊＊＊＊＊＊＊＊＊＊＊＊＊＊＊＊＊＊
前記地震災害時の避難対応ドア１００において（図４（ａ）を参照）、
【００４１】
前記レバー体ｌｖを前記ドア本体Ｄ１に対して押し近づけることにより、前記フック長穴を前記えび金具雄部のフック部ｈｋに引っ掛けた前記フック棒ｈｂを下方に動かすことにより、前記補助出入口枠体に対して、ワンタッチで前記補助ドア本体Ｄ２を、平常時に施錠可能とすることを特徴とする請求項１〜５の何れかに地震災害時の避難対応ドア１００を提供することができた。
すなわち、前記レバー体ｌｖを前記ドア本体Ｄ１に対して手前に引けば、ピン結合（Ｐ２）が図の右側に移動し、リンク機構により、リンク棒ｌｋの上端が下方に移動し、リンク棒ｌｋの上端に接するフック棒ｈｂの下端が、圧縮バネ力により自動的に下方に移動する。
フック棒ｈｂの下端が下方に移動すれば、フック棒ｈｂのフック長穴ｈｈの上端部が、下方に移動する。
そして、えび金具雄部ＬＬ１のフック部ｈｋに、えび金具雌部ＬＬ２のフック棒ｈｂのフック長穴ｈｈの上端部が掛止される。
上記により、前記レバー体ｌｖを前記ドア本体Ｄ１に対して押し近づけることにより、前記フック長穴を前記えび金具雄部のフック部ｈｋに引っ掛けた前記フック棒ｈｂを下方に動かすことにより、前記補助出入口枠体に対して、ワンタッチで前記補助ドア本体Ｄ２を、平常時に施錠可能とすることができた。
＊＊＊＊＊＊＊＊＊＊＊＊＊＊＊＊＊＊＊＊＊＊＊＊＊＊＊＊＊＊＊＊＊＊＊
前記地震災害時の避難対応ドア１００において、
子供の悪戯等で、平常時に開錠された場合であっても、前記補助ドア本体Ｄ２は重力により、前記補助出入口枠体２０に収納されたままとなり、外側を通行中の第三者は開錠されたことを気付かないことを特徴とする。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
【図面の簡単な説明】
【００４２】
【図１】は、本考案に係る、地震災害時の避難対応ドアの正面図である。
【図２】は、本考案に係る、地震災害時の避難対応ドアの側面図である。    図２（ａ）は、本考案に係る、地震災害時の避難対応ドア（閉じた状態）の側面図である。    図２（ｂ）は、本考案に係る、地震災害時の避難対応ドア（開いた状態）の側面図である。
【図３】は、本考案に係る、えび金具の正面図と側面図である。    図３（ａ）は、本考案に係る、えび金具の正面図である。    図３（ｂ）は、本考案に係る、えび金具の側面図である。
【図４】は、本考案に係る、えび金具の動作図である。    図４（ａ）は、施錠時の側断面図である。    図４（ｂ）は、解錠時の側断面図である。
【符号の説明】
【００４３】
１００                          地震災害時の避難対応ドア
１０                            出入口枠体
Ｄ１                            ドア本体
Ｈ１                            第１蝶番
２０                            補助出入口枠体
Ｄ２                            補助ドア本体
Ｈ２                            第２蝶番
ＬＬ                            えび金具
ＬＬ１                          えび金具雄部、フック部
ｈｋ                            フック部
ＬＬ２                          えび金具雌部
ｈｂ                            フック棒
ｆｒ                            フレーム
ｓｐ                            圧縮バネ
ｓｐｓ                          バネ止め部材
ｌｖ                            レバー体
ｌｋ                            リンク部材
ｈｈ                            フック長穴
ｆｒａ                          開口部
ｆｒｂ                          スライド開口部
【図１】
0003152999.tif 000003
【図２】
0003152999.tif 000004
【図３】
0003152999.tif 000005
【図４】
0003152999.tif 000006